(57)【要約】      （修正有）【課題】貯水室内の貯水温度の変化率に応じたエラーを報知することが可能なミスト発生装置を提供する。【解決手段】ミスト運転開始前の立ち上げ動作において、貯水温度センサで検知された貯水室内の貯水温度が吸気温度センサで検知される空気温度と同一値になったら、加熱ヒータをＯＦＦ状態に切り替えて所定時間毎に貯水温度を確認し、貯水温度の変化温度が連続して同一値で低下していれば、貯水温度が安定して低下している安定期に入ったと判断して所定時間当たりの変化温度の割合である温度変化率を算出し、算出された温度変化率に応じた各エラー内容を判断して報知する。【選択図】図６
2014224617.tif 000002
【特許請求の範囲】
【請求項１】
器具本体と、該器具本体内にあり水を貯水する貯水室と、前記貯水室内の水を加熱する加熱ヒータと、該加熱ヒータによって加熱された前記貯水室内の貯水温度を検知する貯水温度センサと、前記器具本体に吸い込まれる空気の温度を検知する吸気温度センサと、前記貯水室内の水を破砕してナノミストと負イオンを発生させるミスト発生部と、該ミスト発生部で発生したナノミストと負イオンを含んだ加湿空気を室内に送風する送風ファンと、前記加熱ヒータをＯＮ状態にして前記貯水室の水を加熱する立ち上げ動作を実施した後、前記送風ファンを駆動させ前記器具本体に形成された送風口から前記ミスト発生部で発生したナノミストと負イオンを含んだ加湿空気を送風するミスト運転を実施する制御部とを備えたミスト発生装置において、前記制御部は、前記立ち上げ動作の実施中に前記貯水温度センサで検知された貯水温度が前記吸気温度センサで検知された空気温度と同一値になったら、前記加熱ヒータをＯＦＦ状態に切り替えると共に前記送風ファンを駆動させ、所定時間経過後に検知された前記貯水温度から異常の有無を判断するようにしたことを特徴とするミスト発生装置。
【請求項２】
前記制御部は、前記所定時間経過後に検知された前記貯水温度と直前の前記所定時間経過後に検知された前記貯水温度との差から温度変化率を算出して、算出された前記温度変化率に応じて異常の有無及び異常の種別を判断することを特徴とする請求項１記載のミスト発生装置。
【請求項３】
前記制御部は、前記所定時間経過後に検知された前記貯水温度と直前の前記所定時間経過後に検知された前記貯水温度との差である変化温度を前記所定時間経過毎に算出し、算出された前記変化温度が連続して略同一値で低下していれば安定期と判断し、前記安定期の変化温度から前記温度変化率を算出することを特徴とする請求項２記載のミスト発生装置。
【請求項４】
前記ミスト発生部は、前記貯水室内に下端を水没させ、回転により水を汲み上げて飛散させる筒状の回転体と、該回転体を回転駆動させるミストモータと、前記回転体の回転により飛散された水が衝突する衝突体とで構成されていることを特徴とする請求項１から３のいずれか１項に記載のミスト発生装置。
【発明の詳細な説明】
【技術分野】
【０００１】
この発明は、ナノミストと負イオンを含んだ加湿空気を室内に供給するミスト発生装置に関するものである。
【背景技術】
【０００２】
従来、この種のものでは、貯水室内の水を加熱ヒータによって加熱沸騰させることで蒸気を発生させ、送風ファンを駆動することで貯水室で発生した蒸気を含んだ加湿空気を送風して室内を加湿する加湿器があり、貯水室付近の温度を検知する貯水温度センサでの検知値に応じて、異常が発生している場所を推定してエラーを報知していた。（例えば、特許文献１）
【先行技術文献】
【特許文献】
【０００３】
【特許文献１】特開平６−７４５０１号公報
【発明の概要】
【発明が解決しようとする課題】
【０００４】
しかし、この従来のものでは、貯水温度センサでの検知値が８０℃以上にならなければ異常の発生場所を判断することができなかったので、エラーを報知するまで長時間を要する問題があり、また、異常を判断するまで加熱ヒータをＯＮ状態にして送風モータを駆動させ続けていることから、高温の蒸気が室内に送風されることで使用者に不快感を与える問題があった。
【課題を解決するための手段】
【０００５】
上記課題を解決するために、本発明の請求項１では、器具本体と、該器具本体内にあり水を貯水する貯水室と、前記貯水室内の水を加熱する加熱ヒータと、該加熱ヒータによって加熱された前記貯水室内の貯水温度を検知する貯水温度センサと、前記器具本体に吸い込まれる空気の温度を検知する吸気温度センサと、前記貯水室内の水を破砕してナノミストと負イオンを発生させるミスト発生部と、該ミスト発生部で発生したナノミストと負イオンを含んだ加湿空気を室内に送風する送風ファンと、前記加熱ヒータをＯＮ状態にして前記貯水室の水を加熱する立ち上げ動作を実施した後、前記送風ファンを駆動させ前記器具本体に形成された送風口から前記ミスト発生部で発生したナノミストと負イオンを含んだ加湿空気を送風するミスト運転を実施する制御部とを備えたミスト発生装置において、前記制御部は、前記立ち上げ動作の実施中に前記貯水温度センサで検知された貯水温度が前記吸気温度センサで検知された空気温度と同一値になったら、前記加熱ヒータをＯＦＦ状態に切り替えると共に前記送風ファンを駆動させ、所定時間経過後に検知された前記貯水温度から異常の有無を判断するものである。
【０００６】
また、請求項２では、前記制御部は、前記所定時間経過後に検知された前記貯水温度と直前の前記所定時間経過後に検知された前記貯水温度との差から温度変化率を算出して、算出された前記温度変化率に応じて異常の有無及び異常の種別を判断するものである。
【０００７】
また、請求項３では、前記制御部は、前記所定時間経過後に検知された前記貯水温度と直前の前記所定時間経過後に検知された前記貯水温度との差である変化温度を前記所定時間経過毎に算出し、算出された前記変化温度が連続して略同一値で低下していれば安定期と判断し、前記安定期の変化温度から前記温度変化率を算出するものである。
【０００８】
また、請求項４では、前記ミスト発生部は、前記貯水室内に下端を水没させ、回転により水を汲み上げて飛散させる筒状の回転体と、該回転体を回転駆動させるミストモータと、前記回転体の回転により飛散された水が衝突する衝突体とで構成されているものである。
【発明の効果】
【０００９】
この発明の請求項１によれば、立ち上げ動作の実施中に貯水温度センサで検知された貯水温度が吸気温度センサで検知された空気温度と同一値になったら、加熱ヒータをＯＦＦ状態に切り替えると共に送風ファンを駆動させ、所定時間経過後に検知された貯水温度から異常の有無を判断するので、室内に加湿空気を送風するミスト運転を開始する前に貯水室内の水を高温に加熱しなくても異常の有無を判断することが可能なため、早期に異常の有無を判断することが可能であり、高温の蒸気が使用者に触れず使用感が向上する。
【００１０】
また、請求項２によれば、所定時間経過後に検知された貯水温度と直前の所定時間経過後に検知された貯水温度との差から温度変化率を算出して、算出された温度変化率に応じて異常の有無及び異常の種別を判断するので、早期に異常の有無及び異常の種別を正確に判断することができる。
【００１１】
また、請求項３によれば、所定時間経過後に検知された貯水温度と直前の所定時間経過後に検知された貯水温度との差である変化温度を所定時間経過毎に算出し、算出された変化温度が連続して略同一値で低下していれば安定期と判断し、安定期の変化温度から温度変化率を算出するので、貯水温度が安定して低下していることを確実に判断してから温度変化率を算出するため、異常の有無及び異常の種別を正確に判断することができる。
【００１２】
また、請求項４によれば、ミスト発生部は、貯水室に下端を水没させ、回転により水を汲み上げて飛散させる筒状の回転体と、該回転体を回転駆動させるミストモータと、回転体の回転により飛散された水が衝突する衝突体とで構成されているので、貯水室内の水を回転体で汲み上げて衝突体に衝突させる簡易な構成によってナノミストと負イオンを多量に発生させることができるため、組付けが容易であり低コストでミスト発生部を構成できる。
【図面の簡単な説明】
【００１３】
【図１】この発明の一実施形態の外観を説明する斜視図
【図２】同実施形態の概略構成図
【図３】同実施形態の制御ブロック図
【図４】同実施形態の操作部を説明する図
【図５】同実施形態の運転開始から終了までの動作を説明するフローチャート
【図６】同実施形態の立ち上げ運転時の動作を説明するフローチャート
【図７】同実施形態の立ち上げ運転で加熱ヒータをＯＦＦ状態にした後の所定時間毎の貯水温度の変化を説明する図
【発明を実施するための形態】
【００１４】
次に、この発明の一実施形態におけるミスト発生装置を図に基づいて説明する。
１は器具本体、２は器具本体１上部に形成され複数のルーバー３が設置された送風口、４は器具本体１の正面上部を構成する上面パネル、５は器具本体１の正面下部を構成する下面パネル、６は複数のスイッチが備えられ各種操作指令を行う操作部、７は図示しないブレーカーを隠すブレーカーカバーである。
【００１５】
８は上面パネル４内に設置され所定量の水を貯水する貯水室であり、この貯水室８内には、水に下端を水没させ駆動軸９に軸支された筒状の回転体１０が備えられている。
【００１６】
前記回転体１０は、中空逆円錐形で上方に向かって径が徐々に拡大するものであり、駆動軸９に接続され回転体１０を回転駆動させるミストモータ１１を駆動させ、回転体１０が回転することによる回転の遠心力で貯水室８の水を汲み上げ、回転体１０の外壁および内壁を伝わせて水を押し上げて、回転体１０の外壁を伝わせて押し上げた水を周囲に飛散させると共に、回転体１０の内壁を伝わせて押し上げた水を回転体１０の上端に形成された複数の図示しない飛散口から周囲に飛散させる。
【００１７】
１２は回転体１０の上部外周に所定間隔を離間させて位置し、回転体１０と共に回転する円筒状の多孔体で、該多孔体１２には、その全周壁に多数のスリットや金網やパンチングメタル等から成る衝突体としての多孔部１３が設置されており、前記回転体１０、前記ミストモータ１１及び前記多孔部１３でミスト発生部が構成されている。
【００１８】
前記ミスト発生部を構成するミストモータ１１を駆動させ、回転体１０を回転させたことで発生する遠心力で貯水室８内の水を汲み上げると共に空気を飛散させ、多孔部１３を通過した水滴が破砕されることで、水の粒子を微細化してナノメートル（ｎｍ）サイズのミストが生成すると共に、水の粒子の微細化によるレナード効果で負イオンを多量に発生させるものである。
【００１９】
１４は下面パネル５内に設置され所定の回転数で駆動することで室内空気を吸引して器具本体１の上部に吹き出す送風ファン、１５は貯水室８と送風口２との間に設置され、貯水室８内で発生したナノミストと負イオンを含む加湿空気を送風口２まで流通させる送風通路であり、前記送風ファン１４が所定の回転数で駆動すると、器具本体１下部にある図示しない吸い込み口から吸い込んだ室内空気を器具本体１の上部に向けて送風され、貯水室８に設置された回転体１０の上部にある空気流入口８ａから送風ファン１４によって送風された室内空気が流入し、貯水室８内で流入した室内空気がナノミストと負イオンとを含んだ加湿空気になり、該加湿空気が前記送風通路１５内を上昇して送風口２から室内へ送風されることで、加湿空気を室内に供給することができる。
【００２０】
１６は貯水室８内に設置され貯水を加熱する加熱ヒータであり、貯水室８の外壁に設置され貯水温度を検知する貯水温度センサ１７で検知される温度が所定温度となるよう、ＯＮ／ＯＦＦ状態を適宜切り替える。
【００２１】
１８は貯水室８内に設置され、フロートが上下することで水位を検知する水位センサであり、貯水室８内の水位が低下して所定水位以下になったらＯＦＦ信号を出力し、水位が上昇して所定水位以上になったらＯＮ信号を出力し、更に水位が上昇して貯水室８内が満水となったら満水信号を出力する。
【００２２】
１９は貯水室８に接続され、貯水室８内に市水を給水する給水管であり、該給水管１９の配管途中には、電磁弁を開閉して貯水室８内への給水を制御する給水弁２０と、給水圧を所定値まで減圧する減圧弁２１とが備えられている。
【００２３】
２２は貯水室８底部に接続され、貯水室８内の水を器具本体１外部に排水する硬質塩化ビニル管で構成された排水管であり、該排水管２２の配管途中には、電磁弁を開閉して貯水室８内の水の排水を制御する排水弁２３が備えれている。
【００２４】
２４は送風口２の壁面に設置され、送風口２から室内へ向けて送風される加湿空気の温度を検知する送風温度センサ、２５は送風ファン１４の近傍に設置され、器具本体１の下部にある銅製の網が設置された吸気口２６へ吸い込まれる室内空気の温度を検知する吸気温度センサ、２７は前記吸気温度センサ２５の近傍に設置され、器具本体１が設置された室内の湿度を検知する湿度センサであり、各センサで検知された温度や湿度に基づいて、ミストモータ１１や送風ファン１４の回転数を変化させ、加熱ヒータ１６のＯＮ／ＯＦＦ状態を切り替える。
【００２５】
操作部６には、運転開始及び停止を指示する運転スイッチ２８と、加熱ヒータ１６のＯＮ／ＯＦＦ状態を切り替えることで貯水室８内の貯水温度を変化させ、送風口２から室内に送風される加湿空気に含有可能な水分量の割合を変化させた３段階の加湿レベルと、湿度センサ２６で検知された湿度が予め設定された湿度となるよう前記加湿レベルを変化させるオートモードとから選択可能な加湿スイッチ２９と、ミストモータ１１と送風ファン１４との回転数の大小を設定可能な三段階の風量レベルと、湿度センサ２７で設定された湿度が予め設定された湿度となるよう前記風量レベルを変化させるオードモードとから選択可能な風量スイッチ３０と、加湿空気を室内に供給するミスト運転の開始時間と停止時間とを設定するタイマー切替スイッチ３１と、前記加湿スイッチ２９及び前記風量スイッチ３０での設定に関わらず、消費電力の低いミスト運転であるエコモードを設定するエコモードスイッチ３２と、現在時刻を設定する時刻設定スイッチ３３と、スイッチを操作することで運転停止以外の動作を禁止するチャイルドロックスイッチ３４とが備えられている。
【００２６】
また、操作部６の各スイッチ上部には各スイッチに対応したランプが備えられており、運転スイッチ２８が操作されたら点灯する運転ランプ３５と、ミスト運転が所定時間以上継続したら開始する除菌運転時に点灯する除菌ランプ３６と、加湿スイッチ２９で設定された加湿レベルを１から３の数値とオートモードを示すＡで表示する加湿レベルランプ３７と、風量スイッチ３０で設定された風量レベルを１から３の数値とオートモードを示すＡで表示する風量レベルランプ３８と、タイマー切替スイッチ３１でミスト運転の開始及び停止が設定されたら、それぞれのランプが点灯するタイマーランプ３９と、エコモードスイッチ３２が操作されエコモードが設定されたら点灯するエコモードランプ４０と、時刻設定スイッチ３３で設定された現在時刻を表示する時刻表示パネル４１と、チャイルドロックスイッチ３４が操作されたら点灯するチャイルドロックランプ４２とが備えられている。
【００２７】
４３は各センサで検知された検知値や操作部６上に備えられた各スイッチでの設定内容に基づき、運転内容や弁の開閉を制御するマイコンで構成された制御部であり、ミストモータ１１を所定の回転数で駆動させるミストモータ制御手段４４と、送風ファン１４を所定の回転数で駆動させる送風ファン制御手段４５と、加熱ヒータ１６のＯＮ／ＯＦＦ状態を切り替えて貯水室８内の水温を制御する加熱ヒータ制御手段４６と、貯水温度センサ１７で検知された貯水温度の所定時間における変化温度に基づいて温度変化率を算出する変化率算出手段４７とが備えられている。
【００２８】
次に、この実施形態での運転開始から終了までの動作について図５のフローチャートに基づいて説明する。
まず、操作部６の運転スイッチ２７が操作されたか、もしくはタイマー切替スイッチ３１で設定された運転開始時刻になったら、制御部４３は、排水弁２３を開放して貯水室８内の水を排水し、水位センサ１８でＯＦＦ信号が検知されたら、給水弁２０を開放して貯水室８内を水で洗い流すクリーニング動作を行い、所定時間経過したら排水弁２３を閉止することで給水弁２０から流入する水を貯水室８内に供給し、水位センサ１８でＯＮ信号が検知されたら、所定量の水が貯水室８内に供給されたとして給水弁２０を閉止する水入替モードを行う（ステップＳ１０１）。
【００２９】
ステップＳ１０１の水入替モードが終了したら、制御部４３は、貯水温度センサ１７で検知される貯水温度が室温と同値になるまで加熱ヒータ制御手段４６で加熱ヒータ１６をＯＮ状態にして、ミストモータ１１及び送風ファン１４が所定の回転数となるようミストモータ制御手段４４及び送風ファン制御手段４５で制御する立ち上げ動作を実行する立ち上げモードを行う（ステップＳ１０２）。
【００３０】
次に、立ち上げモード時の制御について図６のフローチャートに基づいて詳述する。
まず、貯水室８内の貯水が入れ替えられ、立ち上げ時の風量を安定させるために送風ファン１４を８００ｒｐｍで５秒間だけ駆動させたら、制御部４３は、加熱ヒータ制御手段４６で加熱ヒータ１６をＯＮ状態にして、送風ファン制御手段４５で送風ファン１４の回転数が４００ｒｐｍとなるように駆動させ、ミストモータ制御手段４４でミストモータ１１の回転数が２００ｒｐｍとなるように駆動させる（ステップＳ２０１）。
【００３１】
ステップＳ２０１で加熱ヒータ１６をＯＮ状態にして、送風ファン１４、ミストモータ１１をそれぞれ所定の回転数で駆動させたら、制御部４３は、貯水温度センサ１７で検知された貯水室８内の貯水温度が吸気温度センサ２５で検知された空気温度と同一値になっているか判断して（ステップＳ２０２）、貯水温度が空気温度と同一値になっていれば加熱ヒータ制御手段４６で加熱ヒータ１６をＯＦＦ状態にした後、所定時間（例えば３０秒）毎に所定時間経過後の貯水温度と直前の貯水温度経過後の貯水温度との差である変化温度を算出する（ステップＳ２０３）。
【００３２】
ステップＳ２０３で加熱ヒータ１６をＯＦＦ状態にして所定時間毎に変化温度の算出を開始したら、制御部４３は、変化温度が連続して同一値で低下しているか判断して（ステップＳ２０４）、変化温度が連続して同一値で低下していれば、加熱ヒータ１６による余熱の影響がなく安定して貯水温度が低下している安定期に入ったと判断して次のステップに進み、変化温度が連続して同一値で低下していなければ、加熱ヒータ１６による余熱の影響で貯水温度が安定して低下していない過渡期だと判断し、貯水温度が低下するまで変化温度の算出を続ける。
【００３３】
ステップＳ２０４で変化温度が連続して同一値で低下している安定期に入ったと判断したら、制御部４３は、変化率算出手段４７で貯水温度センサ１７で検知される貯水温度の３０秒における変化温度に基づいて温度変化率の算出を行う（ステップＳ２０５）。
【００３４】
ここで、温度変化率の算出について説明すると、温度変化率は、変化温度を所定時間で除することで算出可能であり、例えば、３０秒間での変化温度が１℃であれば、温度変化率＝１／３０から温度変化率は０．０３となる。
【００３５】
ステップＳ２０５で温度変化率を算出したら、制御部４３は、算出された温度変化率が０．０１以上か判断し（ステップＳ２０６）、温度変化率が０．０１以上であれば送風ファン１４が正常に駆動しており、送風口２及び吸気口２６は閉塞していないと判断して次のステップに進み、ステップＳ２０３で加熱ヒータ１６がＯＦＦ状態になってから経過した時間が５分以上か判断して（ステップＳ２０７）、加熱ヒータ１６がＯＦＦ状態になってから５分以上経過していると判断したら立ち上げモードを終了し、５分以上経過していなければ再度ステップＳ２０５で温度変化率を変化率算出手段４７で算出する。
【００３６】
ステップＳ２０６で温度変化率が０．０１以上でなければ、制御部４３は、算出した温度変化率が０．００６以上から０．０１未満の範囲内か判断して（ステップＳ２０８）、温度変化率が０．００６以上から０．０１未満の範囲内であれば、器具本体１の送風口２及び／又は吸気口２６が閉塞していることで貯水温度の低下が緩やかになっていると判断して、器具本体１に設置された図示しないスピーカからエラー音を鳴らし運転ランプ３５を点滅させ、時刻表示パネル４１に「送風口、吸気口に異常発生」と表示することでエラーを報知し、強制的に運転を終了させる（ステップＳ２０９）。
【００３７】
ステップＳ２０８で温度変化率が０．００６以上から０．０１未満の範囲内でなければ、制御部４３は、貯水温度の低下が特に緩やかで送風ファン１４に異常が発生して回転数が低下しているか完全に停止していると判断して、器具本体１に設置された図示しないスピーカからエラー音を鳴らし運転ランプ３５を点滅させ、時刻表示パネル４１に「送風ファンに異常発生」と表示することでエラーを報知し、強制的に運転を終了させる（ステップＳ２１０）。
【００３８】
ここで、貯水温度が安定して低下していると判断してから温度変化率を算出するまでの具体的な制御について、図７に基づいて説明する。
まず、送風口２及び／又は吸気口２６の閉塞がなく、送風ファン１４が設定された回転数で駆動している正常時について説明する。立ち上げ動作において貯水温度が吸気温度センサ２５で検知される空気温度と同一値の２０℃になったら加熱ヒータ１６をＯＦＦ状態に切り替え、３０秒毎に貯水温度の検知を開始する。そして、加熱ヒータ１６をＯＦＦ状態に切り替えてから1２０秒経過時点において貯水温度センサ１７で２１．１℃が検知され、９０秒経過時点での検知値である２１．７℃から変化した値である変化温度が−０．６℃と算出したら、６０秒経過時点から９０秒経過時点までの変化温度である−０．６℃と同一値で連続して貯水温度が低下しており、貯水温度が安定して低下していると判断して、変化率算出手段４７で温度変化率を以下の数式（１）から算出し、算出された結果を所定の温度変化率と比較して、送風口２や吸気口２６に閉塞がなく、送風ファン１４が正常に駆動していると判断する。
数式（１）  温度変化率＝０．６／３０＝０．０２
【００３９】
次に、送風口２及び／又は吸気口２６が閉塞している場合について説明する。立ち上げ動作において加熱ヒータ１６をＯＦＦ状態にしてから１５０秒経過後に貯水温度センサ１７で２２℃が検知され、１２０秒経過時点での検知値である２２．２５℃から変化した値である変化温度が−０．２５℃と算出したら、９０秒経過時点から１２０秒経過時点までの変化温度である−０．２５℃と同一値で連続して貯水温度が低下しており、貯水温度が安定して低下していると判断して、変化率算出手段４７で変化率を以下の数式（２）から算出し、算出された結果を所定の温度変化率と比較して、送風口２及び／又は吸気口２６が閉塞していると判断してエラーを報知する。
数式（２）  温度変化率＝０．２５／３０≒０．００８
【００４０】
次に、送風ファン１４が何らかの原因で故障して送風不能となった場合について説明する。立ち上げ動作において加熱ヒータ１６をＯＦＦ状態にしてから１８０秒経過後に貯水温度センサ１７で２２．４℃が検知され、１５０秒経過時点での検知値である２２．５５℃から変化した値である変化温度が−０．１５℃と算出したら、１２０秒経過時点から１５０秒経過時点までの変化温度である−０．１５℃と同一値で連続して貯水温度が低下しており、貯水室８内の貯水温度が安定して低下していると判断して、変化率算出手段４７で変化率を以下の数式（３）から算出し、算出された結果を所定の温度変化率と比較して、送風ファン１４に異常が発生して駆動していないと判断してエラーを報知する。
数式（３）  温度変化率＝０．１５／３０＝０．００５
【００４１】
ステップＳ１０２の立ち上げモードが終了したら、制御部４３は、加湿スイッチ２９及び風量スイッチ３０で設定された加湿レベルと風量レベルとに基づいて、ミストモータ１１と送風ファン１４とが所定の回転数で駆動するようミストモータ制御手段４４と送風ファン制御手段４５とで回転数を制御し、加熱ヒータ１６のＯＮ／ＯＦＦ状態を加熱ヒータ制御手段４６で切り替えて制御することで、加湿レベルと風量レベルとに合わせた所定の温度範囲内にするミスト運転を実行する通常運転モードを行う（ステップＳ１０３）。
【００４２】
ここで通常運転モードを詳述すると、ミストモータ制御手段４４によりミストモータ１１を８００〜１４００ｒｐｍの範囲内で回転数を変化させ、また、送風ファン制御手段４５で送風ファン１４を４００〜８００ｒｐｍの範囲内で回転数を変化させることで、風量レベルに合った回転数にしたミスト運転を行い、更に、送風温度センサ２４で検知される温度が加湿レベルに合った値となるよう貯水室８内の貯水温度を変化させ、貯水温度センサ１７で検知される温度が約３０〜４０℃の範囲内で推移するように加熱ヒータ１６のＯＮ／ＯＦＦ状態を加熱ヒータ制御手段４６で切り替えて制御する。
【００４３】
ステップＳ１０３の通常運転モードの終了条件を満たしたら、制御部４３は、ミストモータ１１を停止させてから排水弁２３を開弁して貯水室８内の水を排水し、所定時間経過したら給水弁２０を開放して貯水室８内を洗浄してから排水弁２３を閉止して貯水室８内に所定量だけ貯水する水入替運転を行い、加熱ヒータ１６をＯＮ状態にして水を加熱することで除菌を行う除菌運転を所定時間行い、所定時間経過後に貯水室８内を冷却して貯水室８内の水を排水する冷却運転を実行するクリーニングモードを行う（ステップＳ１０４）。
【００４４】
ステップＳ１０４のクリーニングモードが終了したら、制御部４３は、送風ファン１４が所定の回転数（例えば、８００ｒｐｍ）で駆動するよう送風ファン制御手段４５で制御し、貯水室８や送風通路１５に送風して乾燥させることで菌の増殖を防止する乾燥モードを行い（ステップＳ１０５）、送風ファン１４をの駆動時間が所定時間（例えば、３時間）をカウントしたか判断し、３時間カウントしたら、送風ファン１４を停止させて運転を終了する。
【００４５】
以上のように、立ち上げモード中に貯水温度センサ１７で検知される貯水温度が吸気温度センサ２５で検知される空気温度と同一値になったら、加熱ヒータ１６をＯＦＦ状態に切り替えて貯水温度を確認し、貯水温度センサ１７での検知値が安定して低下していると判断したら、所定時間である３０秒当たりの温度変化率を算出し、算出された温度変化率に応じて異なるエラーを報知するので、室内に加湿空気を送風するミスト運転を開始する前に、貯水室８内の水を高温に加熱することなくエラーを報知することが可能なため、早期に異常原因を判断してエラーを報知することができ、高温の蒸気が室内に送風されることを防止できる。
【００４６】
また、３０秒毎に貯水温度センサ１７で検知される貯水温度を確認し、３０秒で低下した貯水温度の変化温度を算出して、算出された変化温度が連続して同一値で低下している安定期に入ったと判断したら、３０秒当たりの温度変化率を算出するので、安定期に入ったことを判断してから温度変化率を算出しているため、温度変化率に応じた各エラーの内容を正確に報知することができる。
【００４７】
また、貯水室８内の貯水温度が空気温度と同一値になるまで加熱ヒータ１６をＯＮ状態にして、貯水温度が空気温度と同一値になったら加熱ヒータ１６をＯＦＦ状態に切り替え、貯水室８内の水が蒸発する際の気化熱で低下する貯水温度から温度変化率を算出して各エラー内容を判断するので、器具本体１を設置した室内の空気温度が高低することで変化する相対湿度の影響を受けずに温度変化率を算出できるため、各エラーを正確に判断して報知することができる。
【００４８】
また、貯水温度の温度変化率から各エラー内容が判断可能なので、送風ファン１４を駆動するモータの電圧値や抵抗値等を検知したり、送風ファン１４の回転数をカウントする回転数検知部を設置する必要がなく、送風ファン１４の回転数を検知せずに送風ファン１４の異常を判断することが可能である。
【００４９】
なお、本実施形態では、立ち上げモード開始時から送風ファン１４を駆動させているが、これに限らず、ステップＳ２０３で加熱ヒータ１６をＯＦＦ状態にしてから貯水温度の温度変化を監視している間に送風ファン１４が駆動していればよいものであるので、例えば、ステップＳ２０３で加熱ヒータ１６をＯＦＦ状態に切り替えたタイミングで送風ファン１４を駆動させて加熱ヒータ１６で貯水室８内の貯水温度を空気温度まで早期に上昇させ、立ち上げモードに要する時間が短縮してミスト運転が早期に開始されるようにしてもよい。
【００５０】
また、本実施形態では、温度変化率が０．００６以上で０．０１未満の範囲であれば送風口２及び／又は吸気口２６が閉塞していると判断し、温度変化率が０．００６未満であれば送風ファン１４に異常があり駆動していないと判断しているが、より細かに数値範囲を設定して温度変化率でのエラーの報知内容を変化させてもよく、例えば、温度変化率が０．００８以上で０．０１未満であれば、送風口２もしくは吸気口２６のいずれか一方が閉塞していると判断してその旨をエラーを報知することや、温度変化率が０．００４未満であれば、送風口２及び／又は吸気口２６が閉塞し、かつ送風ファン１４に異常があり駆動していないと判断してその旨をエラーを報知する内容でもよい。
【００５１】
また、本実施形態では、貯水温度の温度変化率から各エラー内容を判断しているが、これに限らず、例えば貯水温度が空気温度に達して加熱ヒータ１６をＯＦＦ状態に切り替えた所定時間後の貯水温度を検知し、検知された貯水温度に応じて各エラー内容を報知する制御でもよく、送風口２及び／又は吸気口２６が閉塞していたり送風ファン１４が駆動していなければ、正常な場合と比較して貯水温度の所定時間における低下値が小さくなるため、確実に異常を判断してエラーを報知することができる。
【００５２】
また、本実施形態では、貯水温度の所定時間における変化温度から各エラー内容を判断しているが、これに限らず、例えば湿度センサ２７で検知される室内の湿度を各エラー内容の判断要素に入れてもよく、湿度センサ２７で検知された湿度値から室内が高湿であれば、貯水室８内から気化する貯水量が減少して貯水温度の温度変化率は緩慢になると考えられるため、ステップＳ２０６やステップＳ２０８で判断する温度変化率の数値範囲を所定値だけ減少させ、湿度センサ２７で検知された湿度値が低く室内が低湿であれば、高湿の場合とは逆に温度変化率の数値範囲を所定値だけ増加させることで、正確にエラー内容を判断して報知することが可能となる。
【００５３】
また、本実施形態の説明で用いた貯水室８内の貯水温度や吸気温度センサ２５で検知する空気温度、貯水温度の変化温度を算出した所定時間である３０秒、エラーの報知内容を決定する温度変化率の範囲等は一例であり、本発明の趣旨に逸脱しない範囲において変更可能である。
【符号の説明】
【００５４】
１    器具本体
２    送風口
８    貯水室
１０    回転体
１１    ミストモータ
１３    多孔部
１４    送風ファン
１５    送風通路
１６    加熱ヒータ
１７    貯水温度センサ
２５    吸気温度センサ
４３    制御部
【図１】
2014224617.tif 000003
【図２】
2014224617.tif 000004
【図３】
2014224617.tif 000005
【図４】
2014224617.tif 000006
【図５】
2014224617.tif 000007
【図６】
2014224617.tif 000008
【図７】
2014224617.tif 000009